【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部とを備える
送信装置。
【請求項２】
上記一対のラインを介して、上記外部機器との間で、同相のコマンド信号を通信するコマンド信号通信部をさらに備える
請求項１に記載の送信装置。
【請求項３】
上記符号化データの送信を開始する前に、伝送要求を、上記一対のラインを介して、上記外部機器に差動信号により送信する伝送要求送信部をさらに備える
請求項１に記載の送信装置。
【請求項４】
上記伝送要求には、少なくともクロック周波数の情報が含まれる
請求項３に記載の送信装置。
【請求項５】
上記データ送信部は、上記符号化データの送信を開始する前に、上記一対のラインを介して上記外部機器にランダムデータを送信し、上記コマンド信号通信部が上記外部機器からクロック情報の抽出が可能となったことを示すコマンド信号を受信した後に、上記符号化データを上記一対のラインを介して、差動信号により上記外部機器に送信する
請求項２に記載の送信装置。
【請求項６】
上記送信データはビデオデータであり、
上記エンコード部は、上記送信データを構成する色データ、あるいは輝度データおよび色差データのそれぞれ４ビットデータをＤＣフリーかつクロック再生可能な５ビットデータに符号化し、
上記データ送信部は、上記エンコード部で符号化された上記ＤＣフリーかつクロック再生可能な５ビットデータからなる１５ビットデータ単位で送信する
請求項１に記載の送信装置。
【請求項７】
上記外部機器から、ＤＣフリーかつクロック再生可能に符号化された符号化データを、上記伝送路のＡＣ結合された一対のラインを介して、差動信号により受信するデータ受信部と、
上記データ受信部で受信された符号化データを復号化して受信データを得るデコード部とをさらに備える
請求項１に記載の送信装置。
【請求項８】
送信データをＤＣフリーかつクロック再生可能に符号化して符号化データを得るステップと、
上記符号化データを、伝送路のＡＣ結合された一対のラインを介して、外部機器に、差動信号により送信するステップとを備える
送信方法。
【請求項９】
外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部とを備える
受信装置。
【請求項１０】
第１のデータを、伝送路を構成するＤＣ結合された差動信号ラインを介して、外部機器に送信する第１のデータ送信部と、
上記第１のデータに関連した、あるいは上記第１のデータとは独立した第２のデータを、上記伝送路を構成するＡＣ結合された差動信号ラインを介して、上記外部機器に送信する第２のデータ送信部と、
上記第１のデータ送信部および上記第２のデータ送信部の動作を制御する制御部とを備える
送信装置。
【請求項１１】
上記制御部は、上記第２のデータ送信部が使用状態にないとき、上記ＡＣ結合された差動信号ラインを接地する
請求項１０に記載の送信装置。
【請求項１２】
上記制御部は、上記外部機器が上記第２のデータ送信部に対応しているか否か、および上記伝送路が上記第２のデータ送信部に対応しているか否かに基づいて、上記第２のデータ送信部の動作を制御する
請求項１０に記載の送信装置。
【請求項１３】
上記制御部は、上記外部機器が上記第２のデータ送信部に対応しているか否かを、上記外部機器から上記伝送路を介して読み出した該外部機器の能力情報に基づいて判断する
請求項１２に記載の送信装置。
【請求項１４】
上記制御部は、上記伝送路が上記第２のデータ送信部に対応しているか否かを、上記伝送路が持つ情報提供機能を用いて判断する
請求項１２に記載の送信装置。
【請求項１５】
上記伝送路はケーブルであり、
上記制御部は、上記ケーブルのプラグを接続するためのレセプタクルの所定のピンに所定の電圧を印加して、上記伝送路が上記第２のデータ送信部に対応しているか否かを判断する
請求項１４に記載の送信装置。
【請求項１６】
上記データはビデオデータであり、
送信ビデオデータをフレーム分割して得られた複数の分割ビデオデータを得るフレーム分割処理部をさらに備え、
上記第１のデータ送信部は、上記複数の分割ビデオデータのうち一部の分割ビデオデータを上記外部機器に送信し、上記第２のデータ送信部は、上記複数の分割ビデオデータのうち残りの一部の分割ビデオデータを上記外部機器に送信する
請求項１０に記載の送信装置。
【請求項１７】
上記第１のデータ送信部および上記第２のデータ送信部は、上記分割ビデオデータを、フレーム毎に、連結すべき他の分割ビデオデータの存在を示す第１の情報および該連結すべき他の分割ビデオデータとの同期をとるための第２の情報を付加して送信する
請求項１６に記載の送信装置。
【請求項１８】
上記第２の情報は、タイムコード情報と、該タイムコード情報が示すタイムコードを持つ複数フレームにおける配列順を示す配列情報とからなる
請求項１７に記載の送信装置。
【請求項１９】
上記データはビデオデータであり、
送信ビデオデータの各画素データを上位ビット側と下位ビット側に２分する画素データ分割処理部をさらに備え、
上記第１のデータ送信部は、上記各画素データの上記上位ビット側のデータを上記外部機器に送信し、上記第２のデータ送信部は、上記各画素データの上記下位ビット側のデータを上記外部機器に送信する
請求項１０に記載の送信装置。
【請求項２０】
上記データはビデオデータであり、
上記第１のデータ送信部は、左目ビデオデータおよび右眼ビデオデータの一方を上記外部機器に送信し、上記第２のデータ送信部は、上記左目ビデオデータおよび右眼ビデオデータの他方を上記外部機器に送信する
請求項１０に記載の送信装置。
【請求項２１】
上記外部機器から、データを、上記ＡＣ結合された差動信号ラインを介して、受信するデータ受信部をさらに備え、
上記制御部は、上記第１のデータ送信部および上記第２のデータ送信部の動作の他に、上記データ受信部の動作を制御する
請求項１０に記載の送信装置。
【請求項２２】
外部機器から、伝送路を構成するＤＣ結合された差動信号ラインを介して、第１のデータを受信する第１のデータ受信部と、
上記外部機器から、上記伝送路を構成するＡＣ結合された差動信号ラインを介して、上記第１のデータに関連した、あるいは上記第１のデータとは独立した第２のデータを受信する第２のデータ受信部と、
上記第１のデータ受信部および上記第２のデータ受信部の動作を制御する制御部とを備える
受信装置。
【手続補正２】
【補正対象書類名】明細書
【補正対象項目名】０００１
【補正方法】変更
【補正の内容】
【０００１】
本技術は、送信装置、送信方法および受信装置に関し、特に、データを差動信号により伝送路を介して送信する送信装置等に関する。
【手続補正３】
【補正対象書類名】明細書
【補正対象項目名】０００７
【補正方法】変更
【補正の内容】
【０００７】
本技術の目的は、データの伝送帯域の増大を図ることにある。また、本技術の目的は、部屋間伝送などの新たなアプリケーションに対処可能とすることにある。
【手続補正４】
【補正対象書類名】明細書
【補正対象項目名】０００８
【補正方法】変更
【補正の内容】
【０００８】
本技術の概念は、
送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部とを備える
送信装置にある。
【手続補正５】
【補正対象書類名】明細書
【補正対象項目名】０００９
【補正方法】変更
【補正の内容】
【０００９】
本技術において、エンコード部により、送信データがＤＣフリーかつクロック再生可能に符号化されて符号化データが得られる。そして、データ送信部により、符号化データが、伝送路のＡＣ結合された一対のラインを介して、外部機器に、差動信号により送信される。例えば、送信データはビデオデータであり、エンコード部では、送信データを構成する赤色データ、緑色データおよび青色データのそれぞれ４ビットデータがＤＣフリーかつクロック再生可能な５ビットデータに符号化される。そして、データ送信部では、赤色データ、緑色データおよび青色データのそれぞれのＤＣフリーかつクロック再生可能な５ビットデータからなる１５ビットデータ単位で送信が行われる。
【手続補正６】
【補正対象書類名】明細書
【補正対象項目名】００１０
【補正方法】変更
【補正の内容】
【００１０】
このように本技術においては、伝送路のＡＣ結合された一対のラインを介して、ＤＣフリーかつクロック再生可能に符号化された符号化データを、外部機器に送信するものである。そのため、信号品質の改善と消費電力の低減を図りながら、データの伝送帯域の増大を図ることができる。
【手続補正７】
【補正対象書類名】明細書
【補正対象項目名】００１１
【補正方法】変更
【補正の内容】
【００１１】
なお、本技術において、例えば、一対のラインを介して、外部機器との間で、同相のコマンド信号を通信するコマンド信号通信部をさらに備える、ようにされてもよい。この場合、コマンド信号通信部は、一対のラインを介して同相のコマンド信号を通信するものであり、この一対のラインを介して外部機器にデータの送信が行われている状態であっても、コマンド信号の通信を良好に行うことができる。
【手続補正８】
【補正対象書類名】明細書
【補正対象項目名】００１２
【補正方法】変更
【補正の内容】
【００１２】
また、本技術において、例えば、符号化データの送信を開始する前に、伝送要求を、一対のラインを介して、外部機器に差動信号により送信する伝送要求送信部をさらに備える、ようにされてもよい。この伝送要求には、例えば、少なくともクロック周波数の情報が含まれる。この場合、外部機器では、伝送要求に基づいて、符号化データの受信のための準備を行うことが可能となる。例えば、クロック周波数の情報に基づいて、クロック再生を行うためのＰＬＬ回路の状態をクロック周波数に対応した状態に予め合わせておくことができ、ロック状態にスムーズに素早く到達させることができる。
【手続補正９】
【補正対象書類名】明細書
【補正対象項目名】００１３
【補正方法】変更
【補正の内容】
【００１３】
また、本技術において、例えば、データ送信部は、符号化データの送信を開始する前に、一対のラインを介して外部機器にランダムデータを送信し、コマンド信号通信部が外部機器からクロック情報の抽出が可能となったことを示すコマンド信号を受信した後に、符号化データを一対のラインを介して、差動信号により外部機器に送信する、ようにされてもよい。この場合、外部機器でクロック情報の抽出が可能となってから符号化データの送信が開始されるものであり、符号化データを外部機器に良好に送信できる。
【手続補正１０】
【補正対象書類名】明細書
【補正対象項目名】００１４
【補正方法】変更
【補正の内容】
【００１４】
また、本技術において、例えば、外部機器から、ＤＣフリーかつクロック再生可能に符号化された符号化データを、伝送路のＡＣ結合された一対のラインを介して、差動信号により受信するデータ受信部と、このデータ受信部で受信された符号化データを復号化して受信データを得るデコード部とをさらに備える、ようにされてもよい。この場合、データを外部機器に送信できるだけでなく、外部機器からデータを受信することも可能となり、部屋間伝送などの新たなアプリケーションに対処可能となる。
【手続補正１１】
【補正対象書類名】明細書
【補正対象項目名】００１５
【補正方法】変更
【補正の内容】
【００１５】
また、本技術の他の概念は、
外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部とを備える
受信装置にある。
【手続補正１２】
【補正対象書類名】明細書
【補正対象項目名】００１６
【補正方法】変更
【補正の内容】
【００１６】
本技術において、受信部により、ＤＣフリーかつクロック再生可能に符号化された符号化データが、伝送路のＡＣ結合された一対のラインを介して、差動信号により受信される。そして、デコード部により、符号化データが復号化されて受信データが得られる。
【手続補正１３】
【補正対象書類名】明細書
【補正対象項目名】００１７
【補正方法】変更
【補正の内容】
【００１７】
このように本技術においては、伝送路のＡＣ結合された一対のラインを介して、ＤＣフリーかつクロック再生可能に符号化された符号化データを、外部機器から受信するものである。そのため、信号品質の改善と消費電力の低減を図りながら、データの伝送帯域の増大を図ることができる。
【手続補正１４】
【補正対象書類名】明細書
【補正対象項目名】００１８
【補正方法】変更
【補正の内容】
【００１８】
また、本技術の他の概念は、
第１のデータを、伝送路を構成するＤＣ結合された差動信号ラインを介して、外部機器に送信する第１のデータ送信部と、
上記第１のデータに関連した、あるいは上記第１のデータとは独立した第２のデータを、上記伝送路を構成するＡＣ結合された差動信号ラインを介して、上記外部機器に送信する第２のデータ送信部と、
上記第１のデータ送信部および上記第２のデータ送信部の動作を制御する制御部とを備える
送信装置にある。
【手続補正１５】
【補正対象書類名】明細書
【補正対象項目名】００１９
【補正方法】変更
【補正の内容】
【００１９】
本技術においては、第１のデータ送信部および第２のデータ送信部が備えられている。第１のデータ送信部では、伝送路を構成するＤＣ結合された差動信号ラインを介して、第１のデータが外部機器に送信される。また、第２のデータ送信部では、伝送路を構成するＡＣ結合された差動信号ラインを介して、第１のデータに関連した、あるいは第１のデータとは独立した第２のデータが外部機器に送信される。
【手続補正１６】
【補正対象書類名】明細書
【補正対象項目名】００２０
【補正方法】変更
【補正の内容】
【００２０】
このように本技術においては、第１の送信部の他に、第２のデータ送信部が備えられる。そして、この第２のデータ送信部では、伝送路のＡＣ結合された一対のラインを介して、ＤＣフリーかつクロック再生可能に符号化された符号化データが外部機器に送信されるものである。そのため、信号品質の改善と消費電力の低減を図りながら、データの伝送帯域の増大を図ることができる。
【手続補正１７】
【補正対象書類名】明細書
【補正対象項目名】００２１
【補正方法】変更
【補正の内容】
【００２１】
なお、本技術において、例えば、制御部は、第２のデータ送信部が使用状態にないとき、ＡＣ結合された差動信号ラインを接地する、ようにされてもよい。この場合、外部機器や伝送路が第１のデータ送信部のみに対応したものであるとき、互換性を確保することが可能となる。
【手続補正１８】
【補正対象書類名】明細書
【補正対象項目名】００２２
【補正方法】変更
【補正の内容】
【００２２】
また、本技術において、例えば、制御部は、外部機器が第２のデータ送信部に対応しているか否か、および伝送路が第２のデータ送信部に対応しているか否かに基づいて、第２のデータ送信部の動作を制御する、ようにされてもよい。この場合、外部機器や伝送路が第２のデータ送信部に対応している場合のみ、この第２のデータ送信部を用いたデータの送信が行われるため、外部機器に誤ったデータの送信が行われることを回避できる。
【手続補正１９】
【補正対象書類名】明細書
【補正対象項目名】００２３
【補正方法】変更
【補正の内容】
【００２３】
例えば、制御部では、外部機器が第２のデータ送信部に対応しているか否かを、外部機器から伝送路を介して読み出したこの外部機器の能力情報に基づいて判断する、ようにされてもよい。また、例えば、制御部では、伝送路が第２のデータ送信部に対応しているか否かを、この伝送路が持つ情報提供機能を用いて判断する、ようにされてもよい。例えば、伝送路はケーブルであり、制御部は、このケーブルのプラグを接続するためのレセプタクルの所定のピンに所定の電圧を印加して、この伝送路が第２のデータ送信部に対応しているか否かを判断する、ようにされてもよい。
【手続補正２０】
【補正対象書類名】明細書
【補正対象項目名】００２４
【補正方法】変更
【補正の内容】
【００２４】
また、本技術において、例えば、データはビデオデータであり、送信ビデオデータをフレーム分割して得られた複数の分割ビデオデータを得るフレーム分割処理部をさらに備え、第１のデータ送信部は、複数の分割ビデオデータのうち一部の分割ビデオデータを外部機器に送信し、第２のデータ送信部は、複数の分割ビデオデータのうち残りの一部の分割ビデオデータを外部機器に送信する、ようにされてもよい。この場合、送信ビデオデータをフレーム分割して得られた複数の分割ビデオデータが、第１のデータ送信部および第２のデータ送信部の共働で外部機器に送信される。そのため、４Ｋ２Ｋ（ＱＦＨＤ）などの高画質コンテンツのビデオデータを、外部機器に容易に送信できる。
【手続補正２１】
【補正対象書類名】明細書
【補正対象項目名】００２５
【補正方法】変更
【補正の内容】
【００２５】
また、本技術において、例えば、データはビデオデータであり、送信ビデオデータの各画素データを上位ビット側と下位ビット側に２分する画素データ分割処理部をさらに備え、第１のデータ送信部は、各画素データの上位ビット側のデータを外部機器に送信し、第２のデータ送信部は、各画素データの下位ビット側のデータを外部機器に送信する、ようにされてもよい。この場合、送信ビデオデータの各画素データが上位ビット側と下位ビット側に２分されて得られた上位ビット側のデータおよび下位ビット側データが、第１のデータ送信部および第２のデータ送信部の共働で外部機器に送信される。そのため、ディープカラー(Deep color)ビデオデータなどの高画質コンテンツのビデオデータを、外部機器に容易に送信できる。
【手続補正２２】
【補正対象書類名】明細書
【補正対象項目名】００２６
【補正方法】変更
【補正の内容】
【００２６】
また、本技術において、例えば、データはビデオデータであり、第１のデータ送信部は、左目ビデオデータおよび右眼ビデオデータの一方を外部機器に送信し、第２のデータ送信部は、左目ビデオデータおよび右眼ビデオデータの他方を外部機器に送信する、ようにされてもよい。この場合、左目画像データと右眼画像データが、第１のデータ送信部および第２のデータ送信部の共働で外部機器に送信される。そのため、高精細３Ｄビデオデータ等の高画質コンテンツのビデオデータを、外部機器に容易に送信できる。
【手続補正２３】
【補正対象書類名】明細書
【補正対象項目名】００２７
【補正方法】変更
【補正の内容】
【００２７】
ここで、例えば、第１のデータ送信部および第２のデータ送信部は、分割ビデオデータを、フレーム毎に、連結すべき他の分割ビデオデータの存在を示す第１の情報およびこの連結すべき他の分割ビデオデータとの同期をとるための第２の情報を付加して送信する、ようにされてもよい。例えば、第２の情報は、タイムコード情報と、このタイムコード情報が示すタイムコードを持つ複数フレームにおける配列順を示す配列情報とからなる、ものとされる。この場合、外部機器において、複数に分割ビデオデータをフレーム配列して受信ビデオデータを得ることが容易となる。
【手続補正２４】
【補正対象書類名】明細書
【補正対象項目名】００２８
【補正方法】変更
【補正の内容】
【００２８】
また、本技術において、例えば、外部機器から、データを、ＡＣ結合された差動信号ラインを介して、受信するデータ受信部をさらに備え、制御部は、第１のデータ送信部および第２のデータ送信部の動作の他に、データ受信部の動作を制御する、ようにされてもよい。この場合、データを外部機器に送信できるだけでなく、外部機器からデータを受信することも可能となり、部屋間伝送などの新たなアプリケーションに対処可能となる。
【手続補正２５】
【補正対象書類名】明細書
【補正対象項目名】００２９
【補正方法】変更
【補正の内容】
【００２９】
また、本技術の他の概念は、
外部機器から、伝送路を構成するＤＣ結合された差動信号ラインを介して、第１のデータを受信する第１のデータ受信部と、
上記外部機器から、上記伝送路を構成するＡＣ結合された差動信号ラインを介して、上記第１のデータに関連した、あるいは上記第１のデータとは独立した第２のデータを受信する第２のデータ受信部と、
上記第１のデータ受信部および上記第２のデータ受信部の動作を制御する制御部とを備える
受信装置にある。
【手続補正２６】
【補正対象書類名】明細書
【補正対象項目名】００３０
【補正方法】変更
【補正の内容】
【００３０】
本技術においては、第１のデータ受信部および第２のデータ受信部が備えられている。第１のデータ受信部では、伝送路を構成するＤＣ結合された差動信号ラインを介して、第１のデータが、外部機器から受信される。また、第２のデータ受信部では、伝送路を構成するＡＣ結合された差動信号ラインを介して、第１のデータに関連した、あるいは第１のデータとは独立した第２のデータが、外部機器から受信される。
【手続補正２７】
【補正対象書類名】明細書
【補正対象項目名】００３１
【補正方法】変更
【補正の内容】
【００３１】
このように本技術においては、第１のデータ受信部の他に、第２のデータ受信部が備えられる。そして、この第２のデータ受信部では、外部機器から、伝送路のＡＣ結合された一対のラインを介して、ＤＣフリーかつクロック再生可能に符号化された符号化データが受信されるものである。そのため、信号品質の改善と消費電力の低減を図りながら、データの伝送帯域の増大を図ることができる。
【手続補正２８】
【補正対象書類名】明細書
【補正対象項目名】００３２
【補正方法】変更
【補正の内容】
【００３２】
本技術によれば、データの伝送帯域の増大を図ることができる。
【手続補正２９】
【補正対象書類名】明細書
【補正対象項目名】０２１４
【補正方法】変更
【補正の内容】
【０２１４】
また、本技術は、以下のような構成を取ることもできる。
（１）送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部とを備える
送信装置。
（２）上記一対のラインを介して、上記外部機器との間で、同相のコマンド信号を通信するコマンド信号通信部をさらに備える
前記（１）に記載の送信装置。
（３）上記符号化データの送信を開始する前に、伝送要求を、上記一対のラインを介して、上記外部機器に差動信号により送信する伝送要求送信部をさらに備える
前記（１）または（２）に記載の送信装置。
（４）上記伝送要求には、少なくともクロック周波数の情報が含まれる
前記（３）に記載の送信装置。
（５）上記データ送信部は、上記符号化データの送信を開始する前に、上記一対のラインを介して上記外部機器にランダムデータを送信し、上記コマンド信号通信部が上記外部機器からクロック情報の抽出が可能となったことを示すコマンド信号を受信した後に、上記符号化データを上記一対のラインを介して、差動信号により上記外部機器に送信する
前記（２）から（４）のいずれかに記載の送信装置。
（６）上記送信データはビデオデータであり、
上記エンコード部は、上記送信データを構成する色データ、あるいは輝度データおよび色差データのそれぞれ４ビットデータをＤＣフリーかつクロック再生可能な５ビットデータに符号化し、
上記データ送信部は、上記エンコード部で符号化された上記ＤＣフリーかつクロック再生可能な５ビットデータからなる１５ビットデータ単位で送信する
前記（１）から（５）のいずれかに記載の送信装置。
（７）上記外部機器から、ＤＣフリーかつクロック再生可能に符号化された符号化データを、上記伝送路のＡＣ結合された一対のラインを介して、差動信号により受信するデータ受信部と、
上記データ受信部で受信された符号化データを復号化して受信データを得るデコード部とをさらに備える
前記（１）から（６）のいずれかに記載の送信装置。
（８）送信データをＤＣフリーかつクロック再生可能に符号化して符号化データを得るステップと、
上記符号化データを、伝送路のＡＣ結合された一対のラインを介して、外部機器に、差動信号により送信するステップとを備える
送信方法。
（９）外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部とを備える
受信装置。
（１０）第１のデータを、伝送路を構成するＤＣ結合された差動信号ラインを介して、外部機器に送信する第１のデータ送信部と、
上記第１のデータに関連した、あるいは上記第１のデータとは独立した第２のデータを、上記伝送路を構成するＡＣ結合された差動信号ラインを介して、上記外部機器に送信する第２のデータ送信部と、
上記第１のデータ送信部および上記第２のデータ送信部の動作を制御する制御部とを備える
送信装置。
（１１）上記制御部は、上記第２のデータ送信部が使用状態にないとき、上記ＡＣ結合された差動信号ラインを接地する
前記（１０）に記載の送信装置。
（１２）上記制御部は、上記外部機器が上記第２のデータ送信部に対応しているか否か、および上記伝送路が上記第２のデータ送信部に対応しているか否かに基づいて、上記第２のデータ送信部の動作を制御する
前記（１０）または（１１）に記載の送信装置。
（１３）上記制御部は、上記外部機器が上記第２のデータ送信部に対応しているか否かを、上記外部機器から上記伝送路を介して読み出した該外部機器の能力情報に基づいて判断する
前記（１２）に記載の送信装置。
（１４）上記制御部は、上記伝送路が上記第２のデータ送信部に対応しているか否かを、上記伝送路が持つ情報提供機能を用いて判断する
前記（１２）または（１３）に記載の送信装置。
（１５）上記伝送路はケーブルであり、
上記制御部は、上記ケーブルのプラグを接続するためのレセプタクルの所定のピンに所定の電圧を印加して、上記伝送路が上記第２のデータ送信部に対応しているか否かを判断する
前記（１４）に記載の送信装置。
（１６）上記データはビデオデータであり、
送信ビデオデータをフレーム分割して得られた複数の分割ビデオデータを得るフレーム分割処理部をさらに備え、
上記第１のデータ送信部は、上記複数の分割ビデオデータのうち一部の分割ビデオデータを上記外部機器に送信し、上記第２のデータ送信部は、上記複数の分割ビデオデータのうち残りの一部の分割ビデオデータを上記外部機器に送信する
前記（１０）から（１５）のいずれかに記載の送信装置。
（１７）上記第１のデータ送信部および上記第２のデータ送信部は、上記分割ビデオデータを、フレーム毎に、連結すべき他の分割ビデオデータの存在を示す第１の情報および該連結すべき他の分割ビデオデータとの同期をとるための第２の情報を付加して送信する
前記（１６）に記載の送信装置。
（１８）上記第２の情報は、タイムコード情報と、該タイムコード情報が示すタイムコードを持つ複数フレームにおける配列順を示す配列情報とからなる
前記（１７）に記載の送信装置。
（１９）上記データはビデオデータであり、
送信ビデオデータの各画素データを上位ビット側と下位ビット側に２分する画素データ分割処理部をさらに備え、
上記第１のデータ送信部は、上記各画素データの上記上位ビット側のデータを上記外部機器に送信し、上記第２のデータ送信部は、上記各画素データの上記下位ビット側のデータを上記外部機器に送信する
前記（１０）に記載の送信装置。
（２０）上記データはビデオデータであり、
上記第１のデータ送信部は、左目ビデオデータおよび右眼ビデオデータの一方を上記外部機器に送信し、上記第２のデータ送信部は、上記左目ビデオデータおよび右眼ビデオデータの他方を上記外部機器に送信する
前記（１０）に記載の送信装置。
（２１）上記外部機器から、データを、上記ＡＣ結合された差動信号ラインを介して、受信するデータ受信部をさらに備え、
上記制御部は、上記第１のデータ送信部および上記第２のデータ送信部の動作の他に、上記データ受信部の動作を制御する
前記（１０）から（２０）のいずれかに記載の送信装置。
（２２）外部機器から、伝送路を構成するＤＣ結合された差動信号ラインを介して、第１のデータを受信する第１のデータ受信部と、
上記外部機器から、上記伝送路を構成するＡＣ結合された差動信号ラインを介して、上記第１のデータに関連した、あるいは上記第１のデータとは独立した第２のデータを受信する第２のデータ受信部と、
上記第１のデータ受信部および上記第２のデータ受信部の動作を制御する制御部とを備える
受信装置。